(57)【要約】【課題】縦置きと横置きの両方が可能で、設置領域を広く確保する必要のなく、かつ内部回路基板が外力の影響を受けにくい医療用装置を実現する。【解決手段】超音波観測装置３は、複数の回路部を内部に有し、外形形状が略直方体の装置本体３Aと、装置本体の縦置き状態において上面となる一側面に設けられたハンドル部３９と、装置本体３Aの縦置き状態において下面となる一側面に設けられた２つの突出部とハンドル部３９を有する。装置本体３A内において、複数の回路部に含まれる回路基板は、装置本体に固定された内部シャーシ６３Aに固定され、かつ、複数の回路部のうち、他の回路部よりも重い少なくとも２つの回路部は、装置本体３Aの縦置き状態において装置本体３Aの中央部を通る鉛直方向の面に対して、対称的に配置されている。【選択図】図１９
2010104701.tif 000002
【特許請求の範囲】
【請求項１】
複数の回路部を内部に有し、外形形状が略直方体の装置本体と、
前記装置本体の縦置き状態において上面となる一側面に設けられた第１のハンドル部と、
前記装置本体の前記縦置き状態において下面となる一側面に設けられた複数の突出部と、
を有し、
前記装置本体内において、前記複数の回路部に含まれる回路基板は、前記装置本体に固定された内部シャーシに固定され、かつ、前記複数の回路部のうち、他の回路部よりも重い少なくとも２つの回路部を、前記装置本体の前記縦置き状態において前記装置本体の中央部を通る鉛直方向の面に対して、対称的に配置されていることを特徴とする医療用装置。
【請求項２】
前記複数の突出部のうちの一つは、前記下面に設けられた第２のハンドル部であることを特徴とする請求項１に記載の医療用装置。
【請求項３】
前記複数の突出部のうちの２つは、キャスタであることを特徴とする請求項１に記載の医療用装置。
【請求項４】
前記装置本体は、超音波観測装置であることを特徴とする請求項１から３のいずれか１つに記載の医療用装置。
【請求項５】
前記少なくとも２つの回路部は、ビームフォーマと電源ユニットであることを特徴とする請求項４に記載の医療用装置。
【発明の詳細な説明】
【技術分野】
【０００１】
本発明は、医療用装置に関し、特に、装置本体の縦置きと横置きの両方が可能な医療用装置に関する。
【背景技術】
【０００２】
従来より、例えば超音波内視鏡装置等の医療用装置が広く用いられている。メーカで製造された医療用装置は、病院等の医療現場まで搬送され、手術室等内に設置されて使用される。超音波内視鏡装置の場合、装置自体の重量が例えば２０ｋｇを超えるため、重い医療用装置の搬送あるいは設置時における作業者の力作業の負荷が大きい。
【０００３】
一般に医療用装置は、操作パネルの見易さ、操作性等の観点から、設置状態が指定されており、そのため、指定された上下方向の状態で、装置の梱包、搬送等が行われる。  
超音波観測装置の場合、他の医療機器と一緒に、カートにいわゆる横置き状態で搭載されて使用されるため、梱包時、設置時等において作業者が装置を持ち上げたり、置いたりする作業を容易にするように、横置きの装置の左右にハンドルを設け、設置等の作業が容易になるように工夫されたものがある。
【０００４】
また、縦置きの装置の転倒防止のために、装置の底面部に転倒防止部材としてスタンドを設け、そのスタンドが水平方向に突出可能な機構を有する電子機器の提案もある（例えば、特許文献１，２参照）。
【特許文献１】特開平０７−３３６０５６号公報
【特許文献２】特開２００１−２０４８１０号公報
【発明の開示】
【発明が解決しようとする課題】
【０００５】
ところで、医療用装置の操作パネルの見易さ等の問題だけに注目した場合、医療用装置の中には、そのような問題の生じない装置もあり、そのような装置は、縦置きと横置きの両方が可能である。  
しかし、その両方が可能な装置の２つ側面にハンドルを有する装置の場合、作業者は、装置の両方のあるいは一方のハンドルを掴んで、装置の梱包等を行うことができるが、両側にハンドルがあるため、２つのハンドルのある側面を上下方向とした縦置き設置をすることができない。
【０００６】
また、縦置きの場合に装置の安定性を良くするために、上記提案のような転倒防止機構を装置に設けることは、スタンド等の突出範囲も考慮して、設置領域を考慮しなければならず、設置場所に制約が生じる、という問題がある。さらにこのような転倒防止機構は、そのための部材が必要となり、重量及びコストの面でも好ましくない。
【０００７】
以上のように、従来の医療用装置は、たとえ縦置きと横置きの両方が可能であっても、一方の置き方しかできない、さらに縦置き時の安定性確保のために設置領域を広く取らなければならない、という問題があった。
【０００８】
さらに、特に縦置きの場合、装置本体内の回路基板が、装置本体への外力の影響を受けて歪み易くなるという構造上の問題もある。
【０００９】
そこで、本発明は、縦置きと横置きの両方が可能で、設置領域を広く確保する必要のなく、かつ内部回路基板が外力の影響を受けにくい医療用装置を提供することを目的とする。
【課題を解決するための手段】
【００１０】
本発明の一態様によれば、複数の回路部を内部に有し、外形形状が略直方体の装置本体と、前記装置本体の縦置き状態において上面となる一側面に設けられた第１のハンドル部と、前記装置本体の前記縦置き状態において下面となる一側面に設けられた複数の突出部と、を有し、前記装置本体内において、前記複数の回路部に含まれる回路基板は、前記装置本体に固定された内部シャーシに固定され、かつ、前記複数の回路部のうち、他の回路部よりも重い少なくとも２つの回路部を、前記装置本体の前記縦置き状態において前記装置本体の中央部を通る鉛直方向の面に対して、対称的に配置されている医療用装置を提供することができる。
【発明の効果】
【００１１】
本発明によれば、縦置きと横置きの両方が可能で、設置領域を広く確保する必要のなく、かつ内部回路基板が外力の影響を受けにくい医療用装置を実現することができる。
【発明を実施するための最良の形態】
【００１２】
以下、本発明の実施の形態を、図面を用いて説明する。  
図１は、本実施の形態に係る医療用装置としての超音波観測装置１に接続される超音波内視鏡の概略構成を説明するための図である。
【００１３】
図１に示すように、本実施の形態の超音波医療装置である超音波内視鏡装置１は、超音波内視鏡２と、超音波観測装置３と、カメラコントロールユニット（以下、CCUと略記する）４と、光源装置５と、によって、主に構成されている。尚、超音波観測装置３及びCCU４は、超音波内視鏡２によって画像化された超音波観察画像、及び内視鏡画像を表示するための、図示しないモニタに接続される。
【００１４】
超音波内視鏡２は、体腔内に挿入される細長の挿入部８と、この挿入部８の基端に位置する操作部７と、この操作部７の側部から延出するユニバーサルコード１０と、で主に構成されている。
【００１５】
ユニバーサルコード１０の基端部には、光源装置５に接続される内視鏡コネクタ９が設
けられている。この内視鏡コネクタ９からは、CCU４に電気コネクタ１２を介して着脱自在に接続される電気ケーブル１１、及び超音波観測装置３に超音波コネクタ部１４を介して着脱自在に接続される超音波ケーブル１３が延出している。
【００１６】
超音波内視鏡２の挿入部８は、先端側から順に硬質な樹脂部材で形成した先端硬性部２１、この先端硬性部２１の後端に位置する湾曲自在な湾曲部１９、この湾曲部１９の後端に位置して操作部７の先端部に至る細径、且つ長尺で可撓性を有する可撓管部１８を連設して構成されている。そして、先端硬性部２１の先端側には、超音波を送受する複数の電
子走査型の超音波トランスデューサを配列した超音波振動子部２２が設けられている。
【００１７】
また、超音波内視鏡２の操作部７には、湾曲部１９を所望の方向に湾曲制御するアングルノブ１６、送気、送水、吸引操作などを行うための各種ボタン１５、体腔内に導入する処置具の入り口となる処置具挿入口１７等が設けられている。
【００１８】
また、超音波振動子部２２が設けられた先端硬性部２１の先端面には、図示しないが照明光学系を構成する照明用レンズカバー、観察光学系を構成する観察用レンズカバー、吸引口を兼ねる鉗子口、及び送気送水ノズルが配置されている。また、この先端硬性部２１は、観察用レンズカバーから導光される撮影光を集光して光電変換するCCD、CMOS等のイメージセンサである、図示しない撮像手段が内蔵されている。
【００１９】
尚、図１においては、超音波観測装置３に接続される電子走査型の超音波内視鏡２を図示して説明したが、超音波観測装置３には、機械走査型の超音波内視鏡も接続可能となっている。
【００２０】
次に、超音波観装置３の構成について説明する。  
図２から図５は、超音波観測装置の外観を示す図である。図２は、横置き状態の超音波観測装置のフロントパネルに向かって右斜め上側から見た斜視図である。図３は、横置き状態の超音波観測装置のフロントパネルに向かって左斜め上側から見た斜視図である。図４は、超音波観測装置３の正面図である。図５は、超音波観測装置３の平面図である。図６は、超音波観測装置３の右側面図である。図７は、超音波観測装置３の左側面図である。図８は、超音波観測装置３の背面図である。なお、超音波観測装置３の底面図は省略する。
【００２１】
超音波観測装置３の装置本体３Aは、内部に複数の回路部を有し、略直方体の外形形状を有し、図４の正面図に示すように、前面のフロントパネル５１には、電源スイッチ５２と、このフロントパネル５１に形成された装置側コネクタ配置面５５に並設された２つの異なるタイプの装置側超音波コネクタ部５３，５４と、を有している。
【００２２】
この装置側コネクタ配置面５５において、紙面に向かって見た左側に配置される、本実施の形態の第１の装置側超音波コネクタ部５３は、機械走査型の超音波医療機器の超音波コネクタと対を構成する、例えば、５０芯タイプのプラグコネクタすなわちソケットである。
【００２３】
一方、装置側コネクタ配置面５５において、紙面に向かって見た右側に配置される、本実施の形態の第２の装置側超音波コネクタ部５４は、電子走査型の超音波医療機器の超音波コネクタと対を構成する、例えば、１５０芯タイプのプラグコネクタすなわちソケットである。
【００２４】
図８に示すように、この超音波観測装置３の装置本体３Aのリアパネル３２には、複数の通信ケーブルなどが接続される接続端子群３１、電源ケーブルが接続される電源コネクタ３５、及び複数、本実施の形態では４つ、の冷却ファン３３が設けられている。これら４つの冷却ファン３３は、後述する電源ユニット６２内の温度上昇を抑制するための排気ファンを構成している。
【００２５】
接続端子群３１は、背面板となるリアパネル３２の上部側に夫々配設されている。また、電源コネクタ３５は、リアパネル３２の右下方に配設されている。  
さらに、図８に示すように、超音波観測装置３の装置本体３Aには、横置き状態において両側面及び上面を覆う筐体外装部を構成するカバーユニット３６が設けられている。このカバーユニット３６の各側面部には、それぞれが吸気口を構成する複数の通気口４５と、持運びの際にユーザが把持するハンドル部３９と、が設けられている。カバーユニット３６は、装置本体３Aの底面側のベース板に固定される。そのベース板の外側には、装置本体３Aを横置きしたときの支えとなる４つの足部３Bが固定されている。図６は、その足部３Bがベース板に螺子で固定されている状態を部分断面図で示している。
【００２６】
装置本体３Aの両側面には、それぞれ２つのハンドル部３９が設けられている。各ハンドル部３９は、握り部３９Aと、握り部３９Aを９０度の範囲で回動可能に２点で支持するための２つの基部３９Bとからなる。基部３９Bは、超音波観測装置３の装置本体３Aに固定される。
【００２７】
握り部３９Aは、一方向にのみ傾倒可能となっている。具体的には、握り部３９Aは、U字型をしており、両端部が、基部３９Bに軸支されている。そして、握り部３９Aは、基部３９Bに支持された２点を結んだ軸回りに、９０度の範囲で回動可能となっている。
【００２８】
超音波観測装置３が横置きされるときには、２つの握り部３９Aをそれぞれ起こした状態にすると、図９に示すように、作業者は、２つの握り部３９Aを両手で把持しながら、カート等への載置作業を行うことができる。図９は、装置本体３Aを横置きの状態で搬送するときの超音波観測装置３の状態を示す図である。
【００２９】
なお、ハンドル部３９は、握り部３９Aが装置本体３Aの側面に対して起こした状態を保持するロック機構を有している。よって、図９に示す状態に各握り部３９Aを起こすと、握り部３９Aは、装置本体３Aの上面側には、倒れることはない。また、ハンドル部３９は、握り部３９Aが装置本体３Aの側面に対して倒れた状態を保持するロック機構も有している。載置作業後、各握り部３９Aは折り畳まれて、図２と図３に示すように、装置本体３Aの底面側に９０度だけ倒される。
【００３０】
また、超音波観測装置３は縦置きでも使用できるように、図７に示すように、装置本体３Aの一方の側面部には、受け部材としての２つの突起部４０が設けられている。ここでは、装置本体３Aの左側面に、例えばゴム製の２つの突起部４０が設けられている。装置本体３Aの表面から各突起部４０の先端部までの距離ｄaは、ハンドル部３９の握り部３９Aを倒した状態において、装置本体３Aの表面から握り部３９Aの最も遠い部分までの距離ｄｂと同じになる（図１１参照）。よって、図１１に示すように、縦置き状態において、装置本体３Aの下面となる側面に設けられたハンドル部３９は、２つの突起部４０と同じ突起部を構成する。
【００３１】
なお、２つの突起部４０は、１つの突起部でもよい。すなわち、その１つの突起部が、上記２つの突起部４０を結んだ線に平行な線に沿って、装置本体３Aが安定するような長さを有するような部材であれば、２つの突起部４０は、１つの突起部でもよい。例えば、その１つの突起部は、上記２つの突起部４０を、一つにして棒状にしたような部材である。
【００３２】
また、突起部４０の突出量すなわち距離ｄａは、装置本体３A内部の熱を排気する冷却ファン３３とカートの載置台等の接地面間の空間を確保して、排気効率が落ちない程度の量である。
【００３３】
その結果、図１１に示すように、超音波観測装置３を縦置き状態で使用する場合、下側のハンドル部３９が受け台として機能するので、装置本体３Aが真っ直ぐに立つことができる。図１０と図１１は、超音波観測装置３を縦置きにした状態を示す図である。  
よって、上述したように、縦置き状態において、下面側のハンドル部３９は、縦置き時に受け台として機能し、横置き時の設置時の把持部として機能する。
【００３４】
また、縦置き状態において上面となる側面に設けられたハンドル部３９は、搬送時の把持部として機能する。  
よって、縦置き設置時だけでなく、図１０に示すような状態で、作業者が装置本体３Aの上面のハンドル部３９を把持して運搬することができるので、装置本体３Aの重心は作業者の体に近くなり、運搬作業時の負荷も軽減できる。
【００３５】
なお、後述するように、装置本体３Aの内部の構造は、縦置き状態においても重量のある部品等が、重量上バランス良く配置され、かつ内部の回路部に含まれる基板に外力に対して歪みが生じ難い構造になっている。
【００３６】
上記の超音波観測装置３の構造の変形例として、図１２から図１６に示すような構成でもよい。図１２は、装置本体３Aの縦置き状態で下面となるハンドル部を突起部で置き換えた構成の超音波観測装置を縦置きした状態を示す正面図である。
【００３７】
図１２において、突起部４０Aは、縦置きしたときに、安定性が良いように、１つあるいは２つ設けられる。１つの場合は、突起部４０Aは、２つの突起部４０との関係で安定性のよい位置、例えば、装置本体３Aの縦置き状態において下面方向から見て、２つの突起部４０の中心を結ぶ線に直交する線であって、かつ２つの突起部４０の中心を結ぶ線の略真ん中の位置を通る線上に、配置される。
【００３８】
図１３から図１５は、装置本体３Aの縦置き状態において下面のハンドル部を握り部３９の外側に、縦置きに本体を平面上に載置すると、握り部が収納方向に傾倒するように、曲面形状部を設けた構成の超音波観測装置を説明するための正面図である。
【００３９】
図１３に示すように、装置本体３Aが平面上に接触していない場合には、握り部３９A1の両端部は、支持部３９Bに軸支されており、握り部３９A1の中央部は、自重で垂直方向に垂れた状態となっている。  
握り部３９A1の外側の曲面形状部３９Cは、床等の平面に当接すると、支持部３９Bの握り部３９A1を軸支する軸回りに回動するような曲面となっている。よって、図１４に示すように、本体を平面上に下げて行き、握り部３９A1の外側の曲面形状部３９Cが平面に当接すると、握り部３９A1は折り畳まれる方向に傾倒する。装置本体３Aが平面上に載置された状態では、図１５に示すように、握り部３９A1は、完全に傾倒し、収納位置状態となる。この収納位置状態では、本体は、２つの突起部４０とハンドル部３９によって安定的に支持される。よって、作業者は、装置本体３Aの載置の際に、装置本体３Aを床面等に近付けて行くときに、置き方に注意しなくてもよい。
【００４０】
さらに、図１６は、本体の片方の側面の２つの突起部４０を、それぞれキャスタ４０Bで置き換えた構成の超音波観測装置を縦置きした状態を示す正面図である。作業者は、上部のハンドル部３９を把持した状態で、縦置き状態の本体をキャスタ４０B側に傾けて、キャスタ４０Bを利用して転がしながら、装置本体３Aを楽に移動させることができる。
【００４１】
また、本実施の形態の超音波観測装置３は、２つのタイプの超音波内視鏡を接続可能となっているので、それぞれの内視鏡側のコネクタすなわちソケットと、本体側の２つのコネクタとの対応関係が分かり易いように、フロントパネル５１上の２つのコネクタのそれぞれの近傍に、それぞれの内視鏡のコネクタの形状を模した絵が設けられている。
【００４２】
本実施の形態では、図４に示すように、フロントパネル５１に向かって左側が、機械走査型の超音波内視鏡用のコネクタ５３であり、右側が、電子走査型の超音波内視鏡用のコネクタ５４である。そして、図４に示すように、コネクタ５３の近傍のフロントパネル５１の表面には、機械走査型の超音波内視鏡用のコネクタの外観形状の絵５３Aが印刷等により設けられている。コネクタ５４の近傍のフロントパネル５１の表面には、電子走査型の超音波内視鏡用のコネクタの外観形状の絵５４Aが印刷等により設けられている。
【００４３】
絵５３Aと５４Aは、それぞれ、接続されるコネクタの種類だけでなく、コネクタの挿入方向も示す絵、すなわちシンボルとなっている。
【００４４】
図１７は、絵５３Aを示す図である。図１８は、絵５４Aを示す図である。よって、絵５３Aと５４Aから、ユーザは、各内視鏡の接続先と挿入方向を容易に判断することができるので、誤挿入することがない。
【００４５】
次に、図１９から図２１を用いて、本実施の形態の超音波観測装置３の内部構成について以下に説明する。  
超音波観測装置３が横置きされるだけであれば、装置本体３A内部の複数の回路基板は、筐体の外装にスタッドを利用して積み上げるようにして、固定してもよいし、マザーボード上のコネクタに接続して固定するようにしてもよい。
【００４６】
しかし、縦置きされる、あるいは縦状態にして運搬されるときには、筐体にかかる外力により生じた歪みが、直接各回路基板にかかってしまう、という問題がある。さらに、縦置きにされると、重力により、各回路基板とその各回路基板が接続されるコネクタとに横置き状態時とは異なる方向の力が加わったり、各部品の半田部にストレスがかかる等、により、接触不良等が生じたりする問題もある。  
そこで、本実施の形態の超音波観測装置３は、縦置きも可能でかつ、縦置きの状態で運搬等されるときに、上述したような問題が生じないような構造を有している。
【００４７】
図１９は、カバーユニット３６を除く、装置本体３Aの内部構造を示す斜視図である。装置本体３Aは、複数の回路部を内部に有する。図１９に示すように、装置本体３Aは、主として、矩形形状のベース板３７と、フロントパネル５１と、リアパネル３２と、電源ユニット６２と、各種回路基板を搭載した内部シャーシ６３とを有する。
【００４８】
リアパネル３２は、リアパネル３２の面がベース板３７の面に対して直交するように、ベース板３７の一辺に螺子で固定されて設けられている。  
フロントパネル５１は、フロントパネル５１の面がベース板３７の面に直交するように、リアパネル３２が設けられた上記一辺とは反対側のベース板３７の他方の辺に、螺子で固定されて設けられている。
【００４９】
フロントパネル５１の装置本体３Aの内部側の面には、フロントパネル５１の電源スイッチ５２、各コネクタ５３，５４、表示用LED等のための回路を含む回路ユニット部５１Aが配置されている。フロントパネル５１と回路ユニット部５１Aとが、フロント部６１を構成する。
【００５０】
電源ユニット６２は、ベース板３７に螺子で固定されている。図１９に示すように、電源ユニット６２は、直方体の形状を有しており、直方体の各辺がベース板３７の各辺と平行になるように、かつリアパネル３２とフロント部６１の間に配置される。電源ユニット６２は、箱状の外装部材６２A内に、電源のための、各種回路部品、素子等が内蔵されており、それらの各種部品等は、通常の電子部品に比べて比較的重い部品を含む。
【００５１】
電源ユニット６２のベース板３７からの高さは、装置本体３Aの高さの略半分、具体的には、半分よりも少し低い高さである。  
電源ユニット６２の上側には、各種回路基板を搭載した内部シャーシ部６３が、電源ユニット６２の外装部材６２Aに螺子で固定されて配置されている。
【００５２】
内部シャーシ部６３は、各種回路基板が固定される内部シャーシ６３Aを含む。図２０は、内部シャーシ６３Aの斜視図である。
【００５３】
内部シャーシ６３Aは、長方形の一辺とその一辺とは反対側の他辺のそれぞれに沿って、折り曲げた、断面形状がコの字形状の板部材である。図２０に示すように、内部シャーシ６３Aは、両側の側部７１と、２つの側部７１の間の底部７２とを有している。
【００５４】
また、内部シャーシ６３Aは、２つの側部７１の４つの折り曲げられた部分であって、底部７２の四隅に、電源ユニット６２に螺子で固定するための４つの螺子孔部６３Bを有する。
【００５５】
内部シャーシ６３Aは、４つの螺子孔部６３Bを螺子で留めることによって、電源ユニット６２に固定される。このとき、内部シャーシ６３Aの底面側の底部７２の下面は、電源ユニット６２の上面に対向する。
【００５６】
なお、内部シャーシ６３Aを電源ユニット６２に固定したときに、底部７２の下面と、電源ユニット６２の上面との間に隙間が形成されるように、螺子孔部６２Bを段差が付くように折り曲げる、あるいは、底部７１の下面と電源ユニット６２の上面との間にスペーサを設けるようにしてもよい。
【００５７】
内部シャーシ６３Aの側部７１と底部７２には、各種回路基板間の電気的接続のためのケーブル用コネクタを挿入し、あるいは内部で発生した熱を放熱するための複数の孔７３が形成されている。
【００５８】
対向する２つの側部７１の内側には、各種回路基板を固定するための複数の螺子孔部７４が設けられている。複数の螺子穴部７４のいくつかは、側部７１の内側面に螺子留めされて固定された側部７１の剛性を補強するための補強部材７５に設けられている。よって、各種回路基板は、内部シャーシ６３Aに固定されて、内部シャーシ６３Aにより支えられている。  
内部シャーシ６３Aの２つの側部７１の一端側には、さらに側板７６が設けられている。
【００５９】
よって、図１９と図２１に示すように、底部７２の上側には、各種回路基板７７が複数、内部シャーシ６３Aに固定されている。
【００６０】
さらに、内部シャーシ６３Aの内側には、ビームフォーマ回路ユニット７８が、複数の基板７７の上側において、固定されている。ビームフォーマ回路ユニット７８は、他の回路基板等に比べて重いユニットである。ビームフォーマ回路ユニット７８が他の回路部に比べて重いのは、含まれる回路部品の中には、超音波振動子の数だけあるものもあり、実装密度が高いからである。
【００６１】
図２１は、フロントパネル側から見た装置本体３Aの内部構造を示す図である。図２１は、フロント部６１を除いて、装置本体３Aをフロントパネル５１側から見た図である。  
図２１に示すように、装置本体３Aの縦置き状態において、フロントパネル側から見たときに、紙面に向かって右側（すなわち装置本体３Aの底面側）の半分の部分８１には、電源ユニット６２が配置され、左側（すなわち装置本体３Aの上面側）の半分の部分８２には、ビームフォーマ回路ユニット７８と複数の回路基板７７とが配置される。
【００６２】
よって、縦置きの状態において、比較的重い回路部、ここでは電源ユニット６２とビームフォーマ回路ユニット７８とが、装置本体３Aの中央部を通る鉛直方向の面に対して、対称的に配置されているので、装置本体３Aの安定性が高い。すなわち、比較的重量の重い２つの回路部が分散されて装置本体３A内に配置されているので、装置本体３Aの安定性が高い。
【００６３】
また、各回路基板７７は、内部シャーシ６３Aに固定されるので、装置本体３Aに外力が加わっても、その外力が各回路基板７７に直接的にかからないので、各回路基板７７に歪みが生じ難い。
【００６４】
さらに、装置本体３Aは、内部シャーシ化されているので、内部シャーシ６３Aを取り出せば、各回路基板上の回路素子へのアクセスが容易となり、メンテナンス性も向上する。
【００６５】
なお、装置本体３Aは、上述したような内部シャーシ化を前提として、各回路基板間をコネクタとコネクタの接続ではない、いわゆるハーネスレス構造とすることができる。
【００６６】
さらに、超音波観測装置３は、縦置きの状態においても、重力あるいは外力による歪みが内部の回路基板に生じない構造を有しているので、作業者の搬送負荷も軽く、搬送時の効率も良い。  
図２２は、超音波観測装置３の搬送時の搬送形態の例を説明するための図である。本実施の形態の超音波観測装置３は、縦置きにも対応できる構造を有しているので、梱包用の段ボール箱９１内に収納した場合に、複数の段ボール箱９１を、内部の超音波観測装置３が縦置きの状態になるような状態で、例えば海外輸送用のパレット等の搬送用のパレット９２上に載置することができる。
【００６７】
図２２に示すように、横置きにした場合よりは多くの段ボール箱９１を、パレット９２上に載置することができる。よって、上述した本実施の形態の超音波観測装置３のいわゆる物流効率が高いので、物流コストの低減を図ることができる。
【００６８】
以上のように、本実施の形態の超音波観測装置３は、縦置きと横置きの両方に対応なように、縦置きの状態で搬送しかつ設置し易いように、少なくとも１つのハンドル部が装置本体３Aの側面部に設けられ、かつ縦置き時に装置本体３Aの水平性が保てるように、底面部に固定用の受け部を有している。さらに、装置本体３Aは、縦置き時に装置本体３Aの安定性が良いように、装置本体３A内において比較的重い部品等を、バランス良く配置し、装置本体３Aに外力が加えられたときに、内部の回路基板に外力が直接加わらないように、内部シャーシを用いた二重構造を有している。
【００６９】
従って、上述した本実施の形態によれば、縦置きと横置きの両方が可能でかつ設置領域を広く確保する必要のなく、縦置き時の安定性の良い医療用装置を実現することができる。また、搬送時及び設置時に縦方向の状態で取り扱うことができるので、医療用装置が重い場合には、作業者の作業負荷が軽減される。
【００７０】
本発明は、上述した実施の形態に限定されるものではなく、本発明の要旨を変えない範囲において、種々の変更、改変等が可能である。
【図面の簡単な説明】
【００７１】
【図１】本発明の実施の形態に係る医療用装置としての超音波観測装置に接続される超音波内視鏡の概略構成を説明するための図である。
【図２】本発明の実施の形態に係る、横置き状態の超音波観測装置のフロントパネルに向かって右斜め上側から見た斜視図である。
【図３】本発明の実施の形態に係る、横置き状態の超音波観測装置のフロントパネルに向かって左斜め上側から見た斜視図である。
【図４】本発明の実施の形態に係る超音波観測装置の正面図である。
【図５】本発明の実施の形態に係る超音波観測装置の平面図である。
【図６】本発明の実施の形態に係る超音波観測装置の右側面図である。
【図７】本発明の実施の形態に係る超音波観測装置の左側面図である。
【図８】本発明の実施の形態に係る超音波観測装置の背面図である。
【図９】本発明の実施の形態に係る、装置本体を横置きの状態で搬送するときの超音波観測装置の状態を示す図である。
【図１０】本発明の実施の形態に係る超音波観測装置を縦置きにした状態を示す図である。
【図１１】本発明の実施の形態に係る超音波観測装置を縦置きにした状態を示す図である。
【図１２】本発明の実施の形態の変形例に係る、装置本体の縦置き状態で下面となるハンドル部を突起部で置き換えた構成の超音波観測装置を縦置きした状態を示す正面図である。
【図１３】本発明の実施の形態の他の変形例に係る、装置本体の縦置き状態において下面のハンドル部を握り部の外側に、縦置きに本体を平面上に載置すると、握り部が収納方向に傾倒するように、曲面形状部を設けた構成の超音波観測装置を説明するための正面図である。
【図１４】本発明の実施の形態の他の変形例に係る、装置本体の縦置き状態において下面のハンドル部を握り部の外側に、縦置きに本体を平面上に載置すると、握り部が収納方向に傾倒するように、曲面形状部を設けた構成の超音波観測装置を説明するための正面図である。
【図１５】本発明の実施の形態の他の変形例に係る、装置本体の縦置き状態において下面のハンドル部を握り部の外側に、縦置きに本体を平面上に載置すると、握り部が収納方向に傾倒するように、曲面形状部を設けた構成の超音波観測装置を説明するための正面図である。
【図１６】本発明の実施の形態のさらに他の変形例に係る、本体の片方の側面の２つの突起部を、それぞれキャスタで置き換えた構成の超音波観測装置を縦置きした状態を示す正面図である。
【図１７】本発明の実施の形態に係る絵５３Aを示す図である。
【図１８】本発明の実施の形態に係る絵５４Aを示す図である。
【図１９】本発明の実施の形態に係る、カバーユニットを除く、装置本体の内部構造を示す斜視図である。
【図２０】本発明の実施の形態に係る内部シャーシの斜視図である。
【図２１】本発明の実施の形態に係る、フロントパネル側から見た装置本体の内部構造を示す図である。
【図２２】本発明の実施の形態に係る、超音波観測装置の搬送時の搬送形態の例を説明するための図である。
【符号の説明】
【００７２】
１  超音波内視鏡装置、２  超音波内視鏡、３  超音波観測装置、３A  装置本体、３B足部、４  カメラコントロールユニット、５  光源装置、７  操作部、８  挿入部、  ９  内視鏡コネクタ、１０  ユニバーサルコード、１１  電気ケーブル、１２  電気コネクタ、１３  超音波ケーブル、２１  先端硬性部、２２  超音波振動子部、３１  接続端子群、３２  リアパネル、３３  冷却ファン、３５  電源コネクタ、３９  ハンドル部、３９A、３９A１  握り部、３９B  基部、３９C  曲面形状部、４０、４０A  突起部、４０B  キャスタ、４５  通気孔、５１  フロントパネル、５１A  回路ユニット部、５２  電源スイッチ、５３、５４  装置側超音波コネクタ、５３A、５４A  絵、５５  装置側コネクタ配置面、６１  フロント部、６２  電源ユニット、６３  内部シャーシ部、６３A  内部シャーシ、６３B、７４  螺子孔部、７１  側部、７２  底部、７３  孔、７５  補強部材、７６  側板、７７  回路基板、７８  ビームフォーマユニット
【図１】
2010104701.tif 000003
【図２】
2010104701.tif 000004
【図３】
2010104701.tif 000005
【図４】
2010104701.tif 000006
【図５】
2010104701.tif 000007
【図６】
2010104701.tif 000008
【図７】
2010104701.tif 000009
【図８】
2010104701.tif 000010
【図９】
2010104701.tif 000011
【図１０】
2010104701.tif 000012
【図１１】
2010104701.tif 000013
【図１２】
2010104701.tif 000014
【図１３】
2010104701.tif 000015
【図１４】
2010104701.tif 000016
【図１５】
2010104701.tif 000017
【図１６】
2010104701.tif 000018
【図１７】
2010104701.tif 000019
【図１８】
2010104701.tif 000020
【図１９】
2010104701.tif 000021
【図２０】
2010104701.tif 000022
【図２１】
2010104701.tif 000023
【図２２】
2010104701.tif 000024